(57)【要約】【課題】  集合住宅において集合玄関機と住戸玄関子機とで連続で呼び出しがなされた場合には、新着ランプが通知動作しない集合住宅インターホンシステムを提供する。【解決手段】  居室親機２は、呼び出しを受けて記憶部２７に保存された来訪者映像が、応答されず且つ未読の状態である場合にそれを通知する新着ランプ２６を有し、親機ＣＰＵ２９は集合玄関機１からの呼び出しが成されてから所定時間以内に住戸玄関子機６が呼出操作されたら、応答操作されたと判断して住戸玄関子機６のカメラ６２の撮像映像を既読として処理し、新着ランプ２６を通知動作させない。【選択図】  図１
2018170601.tif 000002
【特許請求の範囲】
【請求項１】
来訪者が居住者を呼び出すためにエントランスに設置された集合玄関機、及び各住戸玄関に設置された住戸玄関子機と、来訪者からの呼び出しに応答するために各住戸に設置された居室親機と、これら機器間の通信を制御する制御機とを有し、前記集合玄関機及び前記住戸玄関子機はカメラを備えると共に、前記居室親機には前記カメラの撮像映像を表示する表示部と、撮像映像を保存する記憶部と備えて、前記集合玄関機或いは前記住戸玄関子機から呼び出しが成されたら、呼出元の前記カメラの撮像映像が前記記憶部に保存される集合住宅インターホンシステムであって、
前記居室親機は、呼び出しを受けて前記記憶部に保存された映像が、応答されず且つ未読の状態である場合にそれを通知する新着ランプと、前記新着ランプを制御する通知制御部とを有し、
前記通知制御部は、前記集合玄関機からの呼び出しに応答操作が成された後、前記住戸玄関子機が呼出操作された際に、当該住戸玄関子機の呼出操作が前記集合玄関機から呼び出しが成されてから所定時間以内の操作であれば、保存した前記住戸玄関子機のカメラ撮像映像を応答操作されたと判断して既読処理し、前記新着ランプを通知動作させないことを特徴とする集合住宅インターホンシステム。
【請求項２】
来訪者が居住者を呼び出すためにエントランスに設置された集合玄関機、及び各住戸玄関に設置された住戸玄関子機と、来訪者からの呼び出しに応答するために各住戸に設置された居室親機と、これら機器間の通信を制御する制御機とを有し、前記集合玄関機及び前記住戸玄関子機はカメラを備えると共に、前記居室親機には前記カメラの撮像映像を表示する表示部と、撮像映像を保存する記憶部と備えて、前記集合玄関機或いは前記住戸玄関子機から呼び出しが成されたら、呼出元の前記カメラの撮像映像が前記記憶部に保存される集合住宅インターホンシステムであって、
前記居室親機は、呼び出しを受けて前記記憶部に録画された映像が、応答されず且つ未読の状態である場合にそれを通知する新着ランプと、前記新着ランプを制御する通知制御部と、前記エントランスの扉を解錠する解錠ボタンとを有し、
前記通知制御部は、前記集合玄関機からの呼び出しを受けて前記解錠ボタンが操作されたら、保存した前記集合玄関機のカメラ撮像映像を応答操作されたと判断して既読処理し、前記新着ランプを通知動作させず、
更に、その後前記住戸玄関子機が呼出操作された際に、当該住戸玄関子機の呼出操作が、前記集合玄関機から呼び出しを受けた時及び前記解錠ボタンが操作された時のうち、何れか一方の時点から所定時間以内の操作であれば、保存した前記住戸玄関子機のカメラ撮像映像を応答操作されたと判断して既読処理し、前記新着ランプを通知動作させないことを特徴とする集合住宅インターホンシステム。
【発明の詳細な説明】
【技術分野】
【０００１】
本発明は、集合住宅インターホンシステムに関し、特に来訪者映像を自動録画する機能を備えた集合住宅インターホンシステムに関する。
【背景技術】
【０００２】
従来より、玄関子機が呼出操作されたら来訪者を撮像するカメラが起動して録画が行われるインターホンシステムがある（例えば、特許文献１参照）。
このような自動録画機能を備えたインターホンシステムの中には、呼び出しが成されたにも関わらず応答されなかった映像が保存されている場合は、それを居住者に知らせるための新着表示灯（新着ランプ）を備えて、点滅等で通知するよう構成したものがある（例えば、特許文献２参照）。
【先行技術文献】
【特許文献】
【０００３】
【特許文献１】特開２００８−６０９６３号公報
【特許文献２】特開２０１３−１３１９１５号公報
【発明の概要】
【発明が解決しようとする課題】
【０００４】
上記新着ランプを備えた構成は、管理人からのお知らせ等の他の未読情報がある場合にも有効であるため、集合住宅インターホンシステムで広く採用されている。
しかしながら、上述したように呼び出しに応答しなかった等の未確認の情報が１つでもあることで新着ランプが点滅等の通知動作を継続するため、居住者にとってはこの通知動作が煩わしい場合があった。
例えば、集合玄関子機で応答してエントランスのドアを解錠し、招き入れた来訪者が住戸玄関子機で再度呼び出しを行った場合、居住者は来訪者をモニタで確認するだけで、通話に入らないまま直接玄関に向かうことがあった。この場合、応答しなかった来訪者の録画があると判断されて新着ランプが点滅等の通知動作した。
【０００５】
そこで、本発明はこのような問題点に鑑み、集合住宅において集合玄関機と住戸玄関子機とで連続で呼び出しがなされた場合には、新着ランプが通知動作しない集合住宅インターホンシステムを提供することを目的としている。
【課題を解決するための手段】
【０００６】
上記課題を解決する為に、請求項１の発明は、来訪者が居住者を呼び出すためにエントランスに設置された集合玄関機、及び各住戸玄関に設置された住戸玄関子機と、来訪者からの呼び出しに応答するために各住戸に設置された居室親機と、これら機器間の通信を制御する制御機とを有し、集合玄関機及び住戸玄関子機はカメラを備えると共に、居室親機にはカメラの撮像映像を表示する表示部と、撮像映像を保存する記憶部と備えて、集合玄関機或いは住戸玄関子機から呼び出しが成されたら、呼出元のカメラの撮像映像が記憶部に保存される集合住宅インターホンシステムであって、居室親機は、呼び出しを受けて記憶部に保存された映像が、応答されず且つ未読の状態である場合にそれを通知する新着ランプと、新着ランプを制御する通知制御部とを有し、通知制御部は、集合玄関機からの呼び出しに応答操作が成された後、住戸玄関子機が呼出操作された際に、当該住戸玄関子機の呼出操作が集合玄関機からの呼び出しが成されてから所定時間以内の操作であれば、保存した住戸玄関子機のカメラ撮像映像を応答操作されたと判断して既読処理し、新着ランプを通知動作させないことを特徴とする。
この構成によれば、集合玄関機から呼び出しがあった後、間もなく住戸玄関子機から呼び出しがあった場合は、住戸玄関子機からの呼び出しに対して応答しなくても新着ランプが通知動作しない。よって、居住者が感じる煩わしさを軽減できる。
【０００７】
請求項２の発明は、来訪者が居住者を呼び出すためにエントランスに設置された集合玄関機、及び各住戸玄関に設置された住戸玄関子機と、来訪者からの呼び出しに応答するために各住戸に設置された居室親機と、これら機器間の通信を制御する制御機とを有し、集合玄関機及び住戸玄関子機はカメラを備えると共に、居室親機にはカメラの撮像映像を表示する表示部と、撮像映像を保存する記憶部と備えて、集合玄関機或いは住戸玄関子機から呼び出しが成されたら、呼出元のカメラの撮像映像が記憶部に保存される集合住宅インターホンシステムであって、居室親機は、呼び出しを受けて記憶部に録画された映像が、応答されず且つ未読の状態である場合にそれを通知する新着ランプと、新着ランプを制御する通知制御部と、エントランスの扉を解錠する解錠ボタンとを有し、通知制御部は、集合玄関機からの呼び出しを受けて解錠ボタンが操作されたら、保存した集合玄関機のカメラ撮像映像を応答操作されたと判断して既読処理し、新着ランプを通知動作させず、更に、その後住戸玄関子機が呼出操作された際に、当該住戸玄関子機の呼出操作が、集合玄関機から呼び出しを受けた時及び解錠ボタンが操作された時のうち、何れか一方の時点から所定時間以内の操作であれば、保存した住戸玄関子機のカメラ撮像映像を応答操作されたと判断して既読処理し、新着ランプを通知動作させないことを特徴とする。
この構成によれば、集合玄関機から成された呼び出しに対して応答操作すること無く解錠ボタンが操作されても、その後間もなく住戸玄関子機が呼出操作されたら、集合玄関機及び住戸玄関子機の何れの呼び出しも、応答操作が成されたと判断して双方のカメラの撮像映像の保存映像は既読として処理されて新着ランプが通知動作しない。よって、居住者が感じる煩わしさを軽減できる。
【発明の効果】
【０００８】
本発明によれば、集合玄関機から呼び出しがあった後、間もなく住戸玄関子機から呼び出しがあった場合は、住戸玄関子機からの呼び出しに対して応答しなくても新着ランプが通知動作しない。よって、居住者が感じる煩わしさを軽減できる。
【図面の簡単な説明】
【０００９】
【図１】本発明に係る集合住宅インターホンシステムの一例を示す構成図である。
【図２】居室親機の機能ブロック図である。
【発明を実施するための形態】
【００１０】
以下、本発明を具体化した実施の形態を、図面を参照して詳細に説明する。図１は本発に係る集合住宅インターホンシステムの一例を示し、１は来訪者が訪問先を選択して呼び出すためにエントランスに設置された集合玄関機、２は居住者が呼び出しに応答するために個々の住戸に設置された居室親機、３は管理人が居住者等と通話するための管理室親機、４は機器間の通信を制御する制御機、５はエントランスに設置されて住居エリアに入るための電気錠を備えた扉、６は個々の住戸玄関に設置されて居住者を呼び出すための住戸玄関子機である。
集合玄関機１は伝送線Ｌ１により制御機４に接続され、居室親機２は親機幹線Ｌ２により制御機４に接続され、管理室親機３は伝送線Ｌ３により制御機４に接続されている。また、住戸玄関子機６は伝送線Ｌ４により居室親機２に接続されている。
【００１１】
集合玄関機１は、住戸を選択して呼び出すための操作部１１、来訪者を撮像するためのカメラ１２、通話部を構成するマイク１３及びスピーカ１４等を有している。
尚、住戸玄関子機６は、呼出ボタン６１、カメラ６２、マイク及びスピーカを備えた通話部を有している。
【００１２】
居室親機２は、呼び出しに応答するための通話ボタン２１、カメラ１２の撮像映像を表示する表示部２２、通話部を構成するマイク２３ａ及びスピーカ２３ｂ、表示部２２に設けられたタッチパネルから成る操作部２４、エントランスの扉５の電気錠を解錠する解錠ボタン２５、確認操作されてない未再生の保存映像があることを通知する新着ランプ２６等を有している。
【００１３】
図２は居室親機２の機能ブロック図を示し、通話ボタン２１、表示部２２、マイク２３ａ、スピーカ２３ｂ、操作部２４に加えて、映像に加えて画像から成る受信情報を保存する記憶部２７、マイク２３ａ及びスピーカ２３ｂを制御する通話回路２８、居室親機２を制御する親機ＣＰＵ２９、制御機４と通信するための親機通信ＩＦ３０等を備えている。
尚、記憶部２７に保存される情報は、既読フォルダと未読フォルダとに分けて保存され、親機ＣＰＵ２９の制御により既読処理した映像は既読フォルダに保存され、未読処理された映像は未読フォルダに保存される。
【００１４】
管理室親機３は、カメラ１２の撮像映像の表示に加えて各種情報を表示する表示部３１、表示部３１に設けられたタッチパネルから成る操作部３２、通話部を構成するハンドセット３３等を備えている。
【００１５】
上記の如く構成された集合住宅インターホンシステムの動作は以下の様である。但し、集合玄関機１或いは住戸玄関子機６からの呼出操作、呼び出しを受けて居室親機２からの応答操作、呼出操作を受けてカメラ１２，６２の撮像映像が居室親機２の表示部２２に表示される動作は従来と同様であるため説明を省略し、ここでは、カメラ１２の撮像映像の保存及び新着ランプ２６の通知動作を中心に説明する。
【００１６】
先ず、カメラ１２，６２の撮像映像を保存する通常の制御は以下の様である。来訪者があり集合玄関機１が操作されて呼び出しが成されると、カメラ１２の撮像映像が居室親機２に送信されて、表示部２２に表示される。同時に、親機ＣＰＵ２９の制御により、一定時間の録画が実施され、記憶部２７の未読フォルダに保存される。但し、途中で或いは録画終了後に通話ボタン２１が操作されて応答すれば、保存先が既読フォルダに移行する。そして、未読フォルダに保存された状態で呼出動作が終了したら、新着ランプ２６が点滅する。
その後、新着ランプ２６の点滅を受けて、居住者により未読情報を確認する所定の確認操作が成されたら、保存映像が表示部２２に表示されて、その保存場所が未読フォルダから既読フォルダに移動し、新着ランプ２６の点滅は消灯する。
尚、新着ランプ２６は、未読フォルダに映像が１件でも残っていれば点滅を継続する。
【００１７】
この映像保存の制御は、住戸玄関子機６が操作された場合も同様であり、呼び出しに対して応答が成されなければ記憶部２７の未読フォルダに撮像映像が保存され、新着ランプ２６が点滅する。そして、この映像の表示操作（確認操作）が成されると、新着ランプ２６は消灯する。
【００１８】
このように動作する集合インターホンシステムにおいて、集合玄関機１の呼出操作と住戸玄関子機６の呼出操作とが所定の時間内に連続して行われた場合、以下のように動作する。
まず、来訪者が集合玄関機１を操作して居住者を呼び出すと、呼び出し先の居室親機２では呼び出し報知されると共に、集合玄関機１のカメラ１２で撮像した映像が表示部２２に表示され、同時に一定時間の撮像映像の録画が開始される（未読フォルダへの保存が開始される）。その後、呼び出しを受けて居住者が応答すると、保存映像は未読フォルダから既読フォルダに移動して保存され、新着ランプ２６の点滅等の通知動作はない。ここまでの動作は、上述した通りである。
但し、呼び出しを受けた時点で親機ＣＰＵ２９は所定時間（例えば、５分）のカウントを開始する。
【００１９】
その後、居住者により解錠ボタン２５が操作されて、エントランスの扉５の電気錠が解錠されると、来訪者は居住スペースに入って訪問先の住戸まで進み、訪問先の住戸玄関子機６が呼出操作される。
こうして居室親機２において呼び出し報知が成されて、今度は住戸玄関子機６のカメラ６２の撮像映像が表示部２２に表示される。加えて、撮像映像の一定時間の録画が開始され記憶部２７に保存される。但し、このときに親機ＣＰＵ２９は、所定時間（５分）が経過していないか判断し、経過していなければ応答操作されたと判断して撮像映像は既読フォルダに保存し、新着ランプ２６は点滅させない。一方、所定時間が既に経過していたら未読フォルダに保存し、新着ランプ２６を点滅させる。
【００２０】
このように、集合玄関機１から呼び出しがあった後、間もなく住戸玄関子機６から呼び出しがあった場合は、住戸玄関子機６からの呼び出しに対して応答しなくても新着ランプ２６が点滅して通知動作しない。よって、居住者が感じる煩わしさを軽減できる。
また、住戸玄関子機６のカメラ６２の撮像映像は引き続き保存されるため、予定していた人とは異なる人物からの呼び出しであっても映像は残り、セキュリティ機能が低下することもない。
【００２１】
尚、住戸玄関子機６のカメラ６２の撮像映像が既読フォルダに保存されても、それ以前から未読フォルダに保存映像が存在している場合は、新着ランプ２６が消灯することなく点滅は継続される。
【００２２】
次に、本発明の他の形態を説明する。上記実施形態では呼び出しに応答した後に解錠操作しているが、呼び出しを受けて表示部２２に表示された来訪者映像を見た居住者は、来訪者が家族であったり予定していた人であれば、応答すること無く解錠する場合があるため、このような場合にも対応するよう以下の様に親機ＣＰＵ２９を制御動作させても良い。
呼び出しを受けての解錠操作は、応答操作されなくても実質応答操作されたとみなして、カメラ１２の撮像映像を既読フォルダに保存させて、新着ランプ２６は点滅させない。
そして、上記形態と同様に、集合玄関機１から呼び出しを受けてから所定時間内に住戸玄関子機６が操作されたら、住戸玄関子機６のカメラ６２が撮像した映像を既読フォルダに保存し、新着ランプ２９は点滅させない。
【００２３】
このように、集合玄関機１から成された呼び出しに対して応答操作すること無く解錠ボタン２５が操作された場合でも、その後間もなく住戸玄関子機６が呼出操作されたら、集合玄関機１及び住戸玄関子機６の何れの呼び出しも、応答操作が成されたと判断して双方のカメラ１２，６２の撮像映像の保存映像は既読として処理されて新着ランプ２６が通知動作しない。よって、居住者が感じる煩わしさを軽減できる。
【００２４】
尚、上記実施形態では、呼び出しを受けた時点で所定時間のカウントをスタートさせているが、エントランスの扉５の解錠操作を受け所定時間のカウントを開始しても良い。
【符号の説明】
【００２５】
１・・集合玄関機、２・・居室親機、５・・扉、６・・住戸玄関子機、１２・・カメラ、２１・・通話ボタン、２２・・表示部、２５・・解錠ボタン、２６・・新着ランプ、２７・・記憶部、２９・・親機ＣＰＵ（通知制御部）、６２・・カメラ。
【図１】
2018170601.tif 000003
【図２】
2018170601.tif 000004